(57)【要約】      （修正有）【課題】スライダーの前進操作及び後退操作を繰り返すごとに、シート体の切断可能枚数が減少してしまうという不具合を好適に抑制し得る裁断機等を提供する。【解決手段】ベースに対して近接した下位置と下位置よりも離れた上位置との間で移動可能に支持されたレールと、レールに対してスライド移動可能に支持されたスライダーＦを備えてなる裁断機であり、スライダーＦが、スライダー本体Ｇに対して上下動可能に支持されたスプリングベースＨと、スライダー本体Ｇに対して上下動可能に支持されスプリングベースＨの下にスプリングＳを介して配設された回転刃６１を有する刃保持構造体Ｊを備えている。そして、スプリングベースＨを下方に移動させてスプリングＳの付勢力を増加させるサポート機構Ｒを設けた。【選択図】図２１
2020157381.tif 000002
【特許請求の範囲】
【請求項１】
切断対象であるシート体が配設されるベースと、このベースに対して近接した下位置とこの下位置よりも離れた上位置との間で移動可能に支持されたレールと、このレールに対してスライド移動可能に支持され前記シート体を裁断し得る切断刃を設けたスライダーとを備えてなる裁断機であって、
前記スライダーが、前記レールに対して装着されたスライダー本体と、前記スライダー本体にスプリングを介して配設された前記切断刃を有する刃保持構造体を備えたものであり、
前記刃保持構造体を下方に付勢する前記スプリングと、前記スプリングの付勢力を直接又は間接的に補充するサポート機構を設けた裁断機。
【請求項２】
前記スライダーが、前記スライダー本体に対して上下動可能に支持されたスプリングベースと、このスプリングベースの下に前記スプリングを介して前記スライダー本体に対して上下動可能に配設された前記刃保持構造体とを備えたものである請求項１記載の裁断機。
【請求項３】
前記サポート機構が、前記スライダー本体に対して相対移動可能に支持され前記スプリングを直接又は間接的に圧縮させ得る操作体を備えたものである請求項１又は２記載の裁断機。
【請求項４】
前記サポート機構が、前記スライダー本体に対して回転可能に支持された前記操作体を備えたものであり、
前記操作体の操作端を上方に回動させることにより、前記スプリングを圧縮させ得るように構成された請求項３記載の裁断機。
【請求項５】
前記サポート機構が、前記スライダー本体に対して相対移動可能に支持され前記スプリングベースを下方に移動させ得る操作体を備えたものであり、
前記スプリングベースの上部に、前記操作体により下方に向けて押圧され得る被押圧部を備えている請求項３又は４記載の裁断機。
【請求項６】
前記レールが、前記下位置において、前記ベースに対して固定され得るものである請求項１、２、３、４又は５記載の裁断機。
【請求項７】
前記シート体を上から押さえ得る紙押さえを備えたものであり、
前記レールが、前記下位置において、前記ベースに対して固定され得るとともに前記紙押さえを介して前記シート体を上から押さえ得る請求項１、２、３、４、５又は６記載の裁断機。
【請求項８】
前記切断刃が、先端に刃先を有した回転刃である請求項１、２、３、４、５、６又は７記載の裁断機。
【請求項９】
切断対象であるシート体が配設されるベースと、このベースに対して近接した下位置とこの下位置よりも離れた上位置との間で移動可能に支持されたレールと、このレールに対してスライド移動可能に支持され前記シート体を裁断し得る切断刃を設けたスライダーとを備えてなる裁断機を構成し得る前記スライダーであって、
前記スライダーが、前記レールに対して装着されたスライダー本体と、前記スライダー本体にスプリングを介して配設された前記切断刃を有する刃保持構造体を備えたものであり、
前記刃保持構造体を下方に付勢する前記スプリングと、前記スプリングの付勢力を直接又は間接的に補充するサポート機構を設けているスライダー。
【請求項１０】
切断対象であるシート体が配設されるベースと、このベースに対して近接した下位置とこの下位置よりも離れた上位置との間で移動可能に支持されたレールと、このレールに対してスライド移動可能に支持され前記シート体を裁断し得る切断刃を設けたスライダーとを備えてなる裁断機であって、
前記スライダーが、前記レールに対して装着されたスライダー本体と、前記スライダー本体にスプリングを介して配設された前記切断刃を有する刃保持構造体を備えたものであり、
前記スプリングとは別に設けられ、前記刃保持構造体を直接的に付勢して当該刃保持構造体の前記シート体に対する押圧力を増加させ得るサポート機構を備えている裁断機。
【発明の詳細な説明】
【技術分野】
【０００１】
本発明は、用紙等のシート体を裁断するための裁断機に関する。
【背景技術】
【０００２】
従来から、所定の高さ位置に固定されたレールに対して回転刃を保持したスライダーを進退動作（前進動作・後退動作）させることにより、ベース上に配された用紙を回転刃とベースとの協働により裁断し得るように構成された裁断機が知られている（例えば、特許文献１を参照）。
【０００３】
スライダーに保持された回転刃は、レールに沿って進退動作する際に、積層された用紙を切断し得る適切な高さ位置を採らなければならない。そのため、スライダーに保持された回転刃は、スプリングによって切断すべき用紙方向（すなわちベース方向）に付勢されており、且つ、用紙に乗り上がった際にスプリングの付勢力に抗して上方に移動し得るように構成されている。仮に、上下動不能な回転刃が積層された裁断すべき用紙に対して低すぎる位置にあった場合、当該回転刃は積層された用紙の上層側に乗り上がることができず、結果として、スライダーを動かすことができないものとなる。
【０００４】
レールに支持されたスライダーを前進操作又は後退操作するたびに、スライダーに保持された回転刃は、積層された用紙の上に乗り当該用紙を上層側から下層側に向かって所定の枚数（スプリングの付勢力に応じた枚数）ずつ切断していくことになる。
【０００５】
このとき、スプリングにより下方に付勢された回転刃は、スライダーを前進操作又は後退操作するたびに、徐々にベース方向に下降していくことになる。
【０００６】
すなわち、初回の用紙切断操作（例えば、スライダーの前進操作）では、スライダーに保持された回転刃は積層された用紙の上層部分を切断することになる。このため、回転刃は積層された用紙の上層に乗り上がり、下限位置よりも上方に移動した状態になる。このとき、回転刃を下方に付勢するスプリングは当該回転刃の上動に伴って強力に圧縮され、回転刃を用紙に対して押し付けるための初期付勢力を発揮し得るものとなっている。
【０００７】
初回の用紙切断操作を終えると、回転刃による用紙の切断箇所が下層側に移行していく。この結果、回転刃とスライダー本体との間に介設されたスプリングは初回の用紙切断操作のときよりも伸張し、二回目の用紙切断操作のときのスプリングの弾性付勢力は初回の用紙切断操作のときよりも減衰したものとなる。
【０００８】
つまり、従来の裁断機は、積層された複数枚の用紙を裁断するべくスライダーの前進動作及び後退動作を繰り返すたび（用紙切断操作が、初回、一回目、二回目、三回目・・・と順に進むたび）に、回転刃を用紙に押し付けるためのスプリングの付勢力が減衰してしまい、用紙の切断可能枚数が段階的に減少せざるを得ないものとなっていた。
【０００９】
そのため、従来の裁断機において、特に切断すべき用紙の積層枚数が多いような場合には、スライダーの前進動作及び後退動作を繰り返す回数が多くならざるを得ず、使用者に対してスライダーの進退操作が煩わしいという印象を与えかねないものとなっていた。
【００１０】
参考例として、従来の裁断機を用いて積層された四十枚の用紙を切断する場合を具体的に説明すれば、概ね次のａ．〜ｄ．のとおりである。
【００１１】
ａ．第一回目の用紙切断操作となるスライダーの前進操作では、最も圧縮されたスプリングの付勢力を利用して用紙を切断することにより、十五枚の用紙を切断することができる。
【００１２】
ｂ．第二回目の用紙切断操作となるスライダーの後退操作では、第一回目よりも弱いスプリングの付勢力により用紙を切断せざるを得ないため、第一回目よりも少ない枚数である十二枚の用紙しか切断することができない。
【００１３】
ｃ．第三回目の用紙切断操作となるスライダーの前進操作では、第二回目よりも弱いスプリングの付勢力により用紙を切断せざるを得ないため、第二回目よりも少ない枚数である八枚の用紙しか切断することができない。
【００１４】
ｄ．第四回目の用紙切断操作となるスライダーの後退操作では、第三回目よりも弱いスプリングの付勢力により用紙を切断せざるを得ないため、第三回目よりも少ない枚数である五枚の用紙しか切断することができない。
【００１５】
以上ａ．〜ｄ．に述べた従来例によれば、積層された四十枚の用紙をすべて切断し終えるには、スライダーの前進操作及び後退操作を二回ずつ（すなわち二往復）実行しなければならないことになる。
【００１６】
なお、以上の事情は、裁断機における切断対象が用紙以外のシート体であっても同様であり、スライダーが回転刃以外の刃を備えたものである場合でも同様である。
【先行技術文献】
【特許文献】
【００１７】
【特許文献１】特開２０００−１７６８８１号公報
【発明の概要】
【発明が解決しようとする課題】
【００１８】
本発明は、以上のような事情に着目してなされたものであり、スライダーの前進操作及び後退操作を繰り返すごとに、シート体の切断可能枚数が減少してしまうという不具合を好適に抑制し得る裁断機、及び、裁断機に用いられるスライダーを提供することにある。
【課題を解決するための手段】
【００１９】
すなわち、本発明は次の構成をなしている。
【００２０】
請求項１に記載の発明は、切断対象であるシート体が配設されるベースと、このベースに対して近接した下位置とこの下位置よりも離れた上位置との間で移動可能に支持されたレールと、このレールに対してスライド移動可能に支持され前記シート体を裁断し得る切断刃を設けたスライダーとを備えてなる裁断機であって、前記スライダーが、前記レールに対して装着されたスライダー本体と、前記スライダー本体にスプリングを介して配設された前記切断刃を有する刃保持構造体を備えたものであり、前記刃保持構造体を下方に付勢する前記スプリングと、前記スプリングの付勢力を直接又は間接的に補充するサポート機構を設けた裁断機である。
【００２１】
請求項２に記載の発明は、前記スライダーが、前記スライダー本体に対して上下動可能に支持されたスプリングベースと、このスプリングベースの下に前記スプリングを介して前記スライダー本体に対して上下動可能に配設された前記刃保持構造体とを備えたものである請求項１記載の裁断機である。
【００２２】
請求項３に記載の発明は、前記サポート機構が、前記スライダー本体に対して相対移動可能に支持され前記スプリングを直接又は間接的に圧縮させ得る操作体を備えたものである請求項１又は２記載の裁断機である。
【００２３】
請求項４に記載の発明は、前記サポート機構が、前記スライダー本体に対して回転可能に支持された前記操作体を備えたものであり、前記操作体の操作端を上方に回動させることにより、前記スプリングを圧縮させ得るように構成された請求項３記載の裁断機である。
【００２４】
請求項５に記載の発明は、前記サポート機構が、前記スライダー本体に対して相対移動可能に支持され前記スプリングベースを下方に移動させ得る操作体を備えたものであり、前記スプリングベースの上部に、前記操作体により下方に向けて押圧され得る被押圧部を備えている請求項３又は４記載の裁断機である。
【００２５】
請求項６に記載の発明は、前記レールが、前記下位置において、前記ベースに対して固定され得るものである請求項１、２、３、４又は５記載の裁断機である。
【００２６】
請求項７に記載の発明は、前記シート体を上から押さえ得る紙押さえを備えたものであり、前記レールが、前記下位置において、前記ベースに対して固定され得るとともに前記紙押さえを介して前記シート体を上から押さえ得る請求項１、２、３、４、５又は６記載の裁断機である。
【００２７】
請求項８に記載の発明は、前記切断刃が、先端に刃先を有した回転刃である請求項１、２、３、４、５、６又は７記載の裁断機である。
【００２８】
請求項９に記載の発明は、切断対象であるシート体が配設されるベースと、このベースに対して近接した下位置とこの下位置よりも離れた上位置との間で移動可能に支持されたレールと、このレールに対してスライド移動可能に支持され前記シート体を裁断し得る切断刃を設けたスライダーとを備えてなる裁断機を構成し得る前記スライダーであって、前記スライダーが、前記レールに対して装着されたスライダー本体と、前記スライダー本体にスプリングを介して配設された前記切断刃を有する刃保持構造体を備えたものであり、前記刃保持構造体を下方に付勢する前記スプリングと、前記スプリングの付勢力を直接又は間接的に補充するサポート機構を設けているスライダーである。
【００２９】
請求項１０に記載の発明は、切断対象であるシート体が配設されるベースと、このベースに対して近接した下位置とこの下位置よりも離れた上位置との間で移動可能に支持されたレールと、このレールに対してスライド移動可能に支持され前記シート体を裁断し得る切断刃を設けたスライダーとを備えてなる裁断機であって、前記スライダーが、前記レールに対して装着されたスライダー本体と、前記スライダー本体にスプリングを介して配設された前記切断刃を有する刃保持構造体を備えたものであり、前記スプリングとは別に設けられ、前記刃保持構造体を直接的に付勢して当該刃保持構造体の前記シート体に対する押圧力を増加させ得るサポート機構を備えている裁断機である。
【発明の効果】
【００３０】
以上説明したように本発明によれば、スライダーの前進操作及び後退操作を繰り返すごとに、シート体の切断可能枚数が減少してしまうという不具合を好適に抑制し得る裁断機、及び、裁断機に用いられるスライダーを提供することができるものとなる。
【図面の簡単な説明】
【００３１】
【図１】本発明の一実施形態を示す斜視図。
【図２】同実施形態における右側面図。
【図３】同実施形態における右側面図。
【図４】同実施形態における平面図。
【図５】同実施形態におけるスライダーの平面図。
【図６】同実施形態におけるスライダーの底面図。
【図７】同実施形態におけるスライダーの右側面図。
【図８】同実施形態におけるスライダーの左側面図。
【図９】同実施形態におけるスライダーの正面図。
【図１０】同実施形態におけるスライダーの背面図。
【図１１】同実施形態におけるスライダーの分解斜視図。
【図１２】同実施形態におけるスライダーの分解斜視図。
【図１３】同実施形態におけるスライダーの分解斜視図。
【図１４】同実施形態におけるスライダーの分解斜視図。
【図１５】同実施形態におけるスライダーの分解斜視図。
【図１６】同実施形態におけるスライダーの内部構造説明図。
【図１７】同実施形態におけるスライダーの分解斜視図。
【図１８】同実施形態における作用説明用の右側面図。
【図１９】同実施形態における作用説明用の右側面図。
【図２０】図１８に対応する作用説明用の模式図。
【図２１】図１９に対応する作用説明用の模式図。
【図２２】他の実施形態を示す模式的な右側面図。
【図２３】他の実施形態を示す模式的な右側面図。
【発明を実施するための形態】
【００３２】
以下、本発明の一実施形態を、図１〜２１を参照して説明する。
【００３３】
裁断機は、切断対象となるシート体たる用紙Ｐが配設される載置面ｍ及び当該載置面ｍと同じ高さになるように設けられた刃受けａ１１を有したベースＡと、ベースＡに対して近接した下位置（Ｄ）と下位置（Ｄ）よりもベースＡに対して上方に離れた上位置（Ｕ）との間で移動可能に支持されたレールＢと、ベースＡの上に配設されレールＢが下位置（Ｄ）にあるときに用紙Ｐを上から押さえ得る紙押さえＣと、用紙Ｐを裁断し得る切断刃たる回転刃６１を保持するとともにレールＢに対してスライド移動可能に支持されたスライダーＦとを備えたものである。
【００３４】
裁断機は、下位置（Ｄ）において移動不能に固定されたレールＢに対して回転刃６１を保持したスライダーＦを進退動作（すなわち、前進動作、及び、後退動作）させることにより、ベースＡの上向面である載置面ｍ上に配された複数枚の用紙Ｐを回転刃６１とベースＡとの協働により裁断し得るものである。より具体的に言えば、積層された複数枚の用紙Ｐは、スライダーＦの回転刃６１とベースＡに設けた刃受けａ１１との協働により裁断され得るものである。
【００３５】
裁断機は、レールＢを下位置（Ｄ）において移動不能に固定し得るレールロック機構Ｌを備えている。スライダーＦは、下位置（Ｄ）に固定されたレールＢに沿って前進動作と後退動作とを繰り返しながら、刃受けａ１１を配したベースＡ上に積層された複数枚の用紙Ｐを上層側から下層側に向かって切断し得るように構成されている。
【００３６】
以下、この裁断機の構成について詳述する。
【００３７】
＜ベースＡ＞
ベースＡは、用紙Ｐが配設される上向きの載置面ｍ及び回転刃６１の直下に配された刃受けａ１１を有したベース本体ａ１と、ベース本体ａ１の前端部に設けられた前ベース部ａ２と、ベース本体ａ１の後端部に設けられた後ベース部ａ３とを備えている。
【００３８】
ベース本体ａ１は、スライダーＦの回転刃６１における直下に図示しない溝が設けられている。そして、ベース本体ａ１の溝には、上面が載置面ｍと略面一となるように刃受けａ１１が配されている。
【００３９】
前ベース部ａ２は、上面をベース本体ａ１の載置面ｍよりも高い位置に設定させたものである。前ベース部ａ２は、右の端部にレールＢを上位置（Ｕ）と下位置（Ｄ）との間で上下動可能に支持し得る前のレール支持部ａ２１を備えている。前のレール支持部ａ２１には、レールＢを下位置（Ｄ）に固定し得るレールロック機構Ｌが設けられている。レールロック機構Ｌは、前のレール支持部ａ２１に対して回転可能に設けられたロックレバーＬ１を操作することにより、レールＢを載置面ｍに対して所定寸法離間させた下位置（Ｄ）において固定し得るように構成されている。
【００４０】
後ベース部ａ３は、上面をベース本体ａ１の載置面ｍよりも高い位置に設定させたものである。後ベース部ａ３は、右の端部にレールＢを上位置（Ｕ）と下位置（Ｄ）との間で上下動可能に支持し得る後のレール支持部ａ３１を備えている。後ベース部ａ３には、交換用の刃ユニット６を収容し得る刃ユニット収容室ａ３２を備えている。刃ユニット収容室ａ３２は、透明又は半透明の材質により作られた蓋部材ａ３３により内部が視認され得る状態で閉塞されている。ベース本体ａ１の載置面ｍと前ベース部ａ２との間の段差部、及び、ベース本体ａ１の載置面ｍと後ベース部ａ３との間の段差部は、一般的な用紙Ｐを六十枚積層した高さ寸法よりも長い寸法を有した垂直面を有したものとなっている。
【００４１】
＜レールＢ＞
レールＢは、スライダーＦを前後方向にスライド移動可能に支持し得るものである。レールＢは、ベースＡに設けられた前後のレール支持部ａ２１、ａ３１に支持されている。レールＢは、載置面ｍ上に複数枚の用紙Ｐを載置可能な上位置（Ｕ）と、載置面ｍ上に載置された複数枚の用紙Ｐを紙押さえＣを介して間接的に押さえ得る下位置（Ｄ）との間で上下方向に平行移動可能に構成されている。レールＢは、下位置（Ｄ）において、ベースＡに対して動かないように固定され得るものである。
【００４２】
レールＢは、中空構造をなし前後方向に直線状に延びた略四角筒状のレール本体ｂ１と、レール本体ｂ１の前端部及び後端部に取り付けられた図示しない前後のレール受け部材とを備えている。前後のレール受け部材は、前後のレール支持部ａ２１、ａ３１に係合する部位である。
【００４３】
レールＢは、ベースＡに対して近接し紙押さえＣを介してベースＡ上の用紙Ｐを押さえ得る下位置（Ｄ）と、下位置（Ｄ）よりも上に位置する上位置（Ｕ）との間で上下動し得るようにベースＡに支持されたものである。
【００４４】
レールＢは、前後のレール支持部ａ２１、ａ３１に水平姿勢を保持した状態で上下動し得るように支持されている。レールＢは、ベース本体ａ１の載置面ｍに対して略平行な姿勢を維持した状態で、上位置（Ｕ）と下位置（Ｄ）との間を上下動し得るものとなっている。そして、レールＢが上位置（Ｕ）にあるときは、紙押さえＣの下面とベースＡの載置面ｍとの間に裁断すべき用紙Ｐを挿入し得る用紙挿入用の隙間ｓｋが形成され得るようになっている。
【００４５】
＜紙押さえＣ＞
紙押さえＣは、裁断すべき用紙Ｐを上から押さえ得るものである。なお、図２、及び、図３では、紙押さえＣを視認し易くするために色を付けて表示している。紙押さえＣは、レールＢの下に配設されている。紙押さえＣは、レールＢに沿うように前後方向に延びてなり下面が用紙Ｐの上面に添接し得る平板状の部材を主体に構成されている。紙押さえＣは、ベースＡに対して上下動可能に支持されている。
【００４６】
紙押さえＣは、その前端部及び後端部が図示しない紙押さえ支持部材に支持されている。紙押さえ支持部材は、紙押さえ用スプリングｓ１により上方向すなわちレールＢ方向に付勢されているとともにベースＡに対して上下動可能に支持されている。
【００４７】
紙押さえＣは、レールＢを上位置（Ｕ）から下位置（Ｄ）に遷移させる際に、レールＢに突設され押圧子用スプリングｓ２により下方に付勢された押圧子ｐｓにより下方に押圧され得るものとなっている。紙押さえＣは、押圧子ｐｓにより押圧された場合には、紙押さえ用スプリングｓ１の付勢力に抗して下方に移動し得るものとなっている。つまり、レールＢが下位置（Ｄ）に位置するときには、紙押さえＣは押圧子ｐｓにより下方に押圧され、裁断すべき用紙Ｐを上側から押さえ得るものとなっている。
【００４８】
＜スライダーＦ＞
スライダーＦは、レールＢに対してスライド移動可能に装着されたスライダー本体Ｇと、スライダー本体Ｇに対して上下動可能に支持されたスプリングベースＨと、スライダー本体Ｇに対して上下動可能に支持されスプリングベースＨの下にスプリングＳを介して配設された回転刃６１を有した刃保持構造体Ｊと、スライダー本体Ｇに対して回動可能に支持されスプリングベースＨを介してスプリングＳを間接的に圧縮させ得る操作体Ｋを備えたものである。
【００４９】
スライダーＦは、操作体Ｋを用いてスプリングベースＨを降下させることにより、回転刃６１を付勢するスプリングＳの付勢力を間接的に補充し得るサポート機構Ｒを設けている。換言すれば、スライダーＦは、使用者によって行われる操作体Ｋに対する任意の操作により、スプリングベースＨを下方に移動させ、回転刃６１を下方に付勢しているスプリングＳの付勢力を増加させるサポート機構Ｒを設けている。
【００５０】
スライダー本体Ｇは、レールＢに沿ってスライド移動し得る一方でレールＢに対して上下方向及び左右方向に殆ど動かない構成をなしている。すなわち、スライダー本体Ｇは、レールＢの長手方向である前後方向にのみ移動し得るように構成されている。
【００５１】
スライダー本体Ｇは、レールＢを包持するレール保持部１１を有した基体１と、スプリングベースＨ、スプリングＳ、及び、刃保持構造体Ｊを保持し得るとともに基体１に対して着脱可能に構成されたホルダー２と、操作体Ｋを基体１に対して回転可能に取り付けるためのブラケット３と、上部に使用者の手（主として手のひら）を置く手置き部Ｍが形成されたカバー体４を備えたものである。
【００５２】
基体１は、正面視又は背面視において下方に開放したチャンネル形状をなしている。基体１は、レールＢを取り囲みレールＢに対してスライド移動可能に係り合うレール保持部１１を有したものである。レール保持部１１は、レール本体ｂ１が配設される部分であり、下方に開放された凹陥形状をなしている。レール保持部１１は、レールＢにおける左右の外側面に対面する左右の内向き部１１１、１１２と、レールＢにおける上面に対面する下向き部１１３と、左右の内向き部１１１、１１２の下端部から内方に向けて突設され基体１がレールＢから上方に向けて抜け出さないように規制し得る抜け止め部１１４とを備えている。
【００５３】
基体１におけるレール保持部１１の下向き部１１３とレールＢとの間には、複数すなわち四つのベアリングＮが介設されている。スライダーＦは、レールＢとの間に設けられたベアリングＮの作用により、レールＢに対して滑らかにスライド移動し得るものとなっている。
【００５４】
基体１における右の外側面すなわちホルダー２側の外面には、ホルダー２と協働して、ホルダー２内に配された刃ユニット６が刃ユニット保持部材５から抜け出ないように位置決めし得る規制壁１２が設けられている。規制壁１２には、ホルダー２に支持された刃軸ピン５２との干渉を避けるための凹陥部１２１と、ホルダー２に設けたホルダー装着ねじＱが螺着するナット部１２２が設けられている。
【００５５】
ホルダー２は、上側から下側に向かってスプリングベースＨ、スプリングＳ、及び、刃保持構造体Ｊの順に配設し得る収容空間ｓｐを有したホルダー本体２１と、ホルダー本体２１に装着されスプリングベースＨの上限位置を規制し得る上規制壁２２１及び刃保持構造体Ｊの下限位置を規制し得る下規制壁２２２を有した位置決め部材２２と、ホルダー本体２１、及び、位置決め部材２２を外側からカバーする外カバー２３を備えている。
【００５６】
ホルダー本体２１は、合成樹脂により作られている。ホルダー本体２１は、刃ユニット保持部材５に設けた位置決めレール５１２と係わり合い当該刃ユニット保持部材５を上下動可能に保持し得る位置決め突起ｔを有した主壁２１１と、主壁２１１における側端縁から主壁２１１に対して略直交する方向に延出し内面側にスプリングベースＨを上下動可能に保持し得る保持凹部ｗ１を有した側端壁２１２とを備えている。
【００５７】
位置決め部材２２は、ホルダー本体２１内に配されたスプリングベースＨと刃ユニット保持部材５を所定の位置に位置決めするものである。位置決め部材２２は、金属板により構成されている。位置決め部材２２は、ねじｖ１により、ホルダー本体２１に取り付けられている。位置決め部材２２は、スプリングＳにより上方向に付勢されたスプリングベースＨと係わり合い当該スプリングベースＨの上限位置を規定し得る対をなす上規制壁２２１と、スプリングＳにより下方に付勢された刃ユニット保持部材５と係わり合い当該刃ユニット保持部材５の下限位置を規定し得る対をなす下規制壁２２２と、上規制壁２２１と下規制壁２２２との間を繋ぐ連結壁２２３とを備えている。
【００５８】
上規制壁２２１、及び、下規制壁２２２は、起立姿勢をなす連結壁２２３に対して略直交する方向に延出している。上規制壁２２１は、対をなしており、水平方向に所定の間隔をあけて設けられている。下規制壁２２２は、対をなしており、水平方向に所定の間隔をあけて設けられている。連結壁２２３には、ねじ挿通孔ｈ１が設けられている。そして、ねじ挿通孔ｈ１を通過させたねじｖ１をホルダー本体２１に螺着することにより、位置決め部材２２をホルダー本体２１に取り付けることができるようになっている。
【００５９】
外カバー２３は、位置決め部材２２における連結壁２２３の外側を覆う主カバー部２３１と、ホルダー本体２１における側端壁２１２の外側を覆い得る側カバー部２３２とを有したものである。外カバー２３は、略チャンネル形状をなした合成樹脂製のものである。外カバー２３の主カバー部２３１には、ホルダー２を基体１に対して着脱操作するためのホルダー装着ねじＱが回転可能に支持されている。側カバー部２３２の外面側には、使用者に指を掛けやすくするための指掛用凹部ｗ２が設けられている。
【００６０】
ブラケット３は、略水平姿勢をなす板状のブラケットベース３１と、ブラケットベース３１から上方に延設された一対の軸支持アーム３２とを備えている。ブラケットベース３１及び軸支持アーム３２は、金属により一体に構成されたものである。
【００６１】
ブラケットベース３１には、上下方向に貫通するねじ挿通孔ｈ２が設けられている。そして、ねじ挿通孔ｈ２を通過させたねじｖ２を基体１に螺着することにより、ブラケット３を基体１に対して取り付けることができるようになっている。軸支持アーム３２は、先端部たる上端部において操作体Ｋを回転可能に支持するための軸ｊｋを保持し得るものとなっている。
【００６２】
カバー体４は、合成樹脂により一体に作られたものである。カバー体４は、上部に設けられ操作体Ｋを構成する操作体本体７及びブラケット３を外部から覆い得るとともに操作者の手を置く手置き部Ｍを構成した上カバー体部分４１と、上カバー体部分４１の下に延設され基体１の前後面及び左側面を外側から覆う下カバー体部分４２とを備えている。
【００６３】
上カバー体部分４１は、下向きに開放された形態をなしている。また、上カバー体部分４１は、後端部に内部空間と外部空間とを連通し得る連通部ｔｈが形成されている。操作体Ｋは、カバー体４の連通部ｔｈを通じて当該カバー体４の内部に配された操作体本体７と上カバー体部分４１の後に配された操作端部材８とがねじｖ３により連結し得るようになっている。
【００６４】
続いて、上述したスライダー本体Ｇに対して相対移動し得るスプリングベースＨ、スプリングＳ、刃保持構造体Ｊ、及び、操作体Ｋについて説明する。
【００６５】
まず、ホルダー２に対して上下動可能に保持されたスプリングベースＨ及び刃保持構造体Ｊ、並びに、スプリングベースＨと刃保持構造体Ｊとの間に介設されたスプリングＳについて説明する。
【００６６】
＜スプリングベースＨ＞
スプリングベースＨは、ホルダー２に対して上下動可能に支持されたものである。スプリングベースＨは、合成樹脂により一体に成形されたブロック状をなしている。スプリングベースＨは、その下に配されたスプリングＳの付勢力を受けて上方向に付勢されている。スプリングベースＨは、上規制壁２２１の下面に当接し得る上規制壁当接部ｔｂを備えている。
【００６７】
スプリングベースＨにおける長手方向中間部の上部には、操作体Ｋにより下方に向けて押圧され得る被押圧部ｐａを備えている。被押圧部ｐａは、操作体Ｋの回動端に設けられた押圧部７３により下方に押圧され得る部位をなす。被押圧部ｐａは、上方に凸をなしており操作体Ｋの操作力を受けていない状態において、対をなして配された上規制壁２２１の間に位置し得るようになっている。
【００６８】
スプリングベースＨにおける長手方向両端部には、ホルダー本体２１の保持凹部ｗ１に対して上下方向にスライド移動可能に係合し得る端壁ｅｗが設けられている。端壁ｅｗは、スプリングベースＨにおける中間部よりも上下方向に長い寸法に設定されている。端壁ｅｗは、保持凹部ｗ１に対して好適に係り合う形態をなしているため、スプリングベースＨの全体が、ホルダー本体２１に対して安定した姿勢で上下動し得るようになっている。
【００６９】
スプリングベースＨにおける長手方向中間部の下部には、スプリングＳの上端部に内嵌するスプリング支持部ｓｈが下方に向けて突設されている。
【００７０】
＜スプリングＳ＞
スプリングＳは、スプリングベースＨと刃保持構造体Ｊとの間に介設されたものである。この実施形態では、スプリングＳは、コイルスプリングである。スプリングＳは、スプリングベースＨを足場にして、回転刃６１を有した刃保持構造体Ｊを下方に付勢し得るとともに刃保持構造体Ｊを構成する保持部材本体５１を足場にしてスプリングベースＨを上方に付勢し得るものとなっている。
【００７１】
＜刃保持構造体Ｊ＞
刃保持構造体Ｊは、ホルダー本体２１に対して上下動可能に支持された刃ユニット保持部材５と、刃ユニット保持部材５に対して装着される刃ユニット６とを備えている。刃ユニット６は、刃ユニット保持部材５に対して着脱可能に構成されている。
【００７２】
刃ユニット保持部材５は、ホルダー本体２１に対して上下動可能に支持されるとともに回転刃６１を有した刃ユニット６を保持し得るものである。刃ユニット保持部材５は、ホルダー２に支持された状態で基体１に対して着脱可能に構成されている。刃ユニット保持部材５は、スプリングＳにより下方すなわちベースＡ方向に付勢されている。刃ユニット保持部材５は、下規制壁２２２の上面に当接し得る下規制壁当接部５１４を備えている。刃ユニット保持部材５は、用紙Ｐを切断する際に刃ユニット６とともにホルダー本体２１に対して上動し得るものである。
【００７３】
刃ユニット保持部材５は、合成樹脂により作られた保持部材本体５１と、保持部材本体５１に取り付けられた刃軸ピン５２とを備えている。
【００７４】
保持部材本体５１は、上方に向けて突出しスプリングＳの下端部に内嵌して当該スプリングＳを支持し得るスプリング支持部５１１と、ホルダー本体２１の主壁２１１に設けられた位置決め突起ｔが配される上下方向に延びた位置決めレール５１２と、刃ユニット６に設けられた突出部６２２が内嵌し得る位置決め穴５１３とを備えている。
【００７５】
刃軸ピン５２は、金属製のものである。刃軸ピン５２は、刃ユニット６の回転刃６１に設けられた貫通孔６１１に挿入されるものである。刃軸ピン５２は、刃ユニット６の回転刃６１を回転可能に支持し得るものである。
【００７６】
刃ユニット６は、刃ユニット保持部材５に対して着脱可能に取り付けられたものである。刃ユニット６は、外周縁を刃先６１２とした回転刃６１と、回転刃６１を保持する回転刃ケース６２とを備えている。刃ユニット６は、例えば、回転刃６１の刃先６１２が使用等により劣化したときに、ベースＡの刃ユニット収容室ａ３２に収容された他の刃ユニット６と交換できるものとなっている。
【００７７】
回転刃６１は、中心部に貫通孔６１１が形成されたものである。貫通孔６１１には、刃ユニット保持部材５に設けられた刃軸ピン５２が挿入されるようになっている。
【００７８】
回転刃ケース６２は、矩形状をなした合成樹脂製のものである。回転刃ケース６２は、回転刃６１の刃先６１２が位置する下端部を外部に露出させるとともに内部に回転刃６１の下端部以外の部分を収納し得るものである。回転刃ケース６２は、回転刃６１の貫通孔６１１に対応する位置に連通孔６２１が設けられている。また、回転刃ケース６２の上部における左右二箇所には、保持部材本体５１に配された位置決め穴５１３に嵌合し得る突出部６２２が設けられている。
【００７９】
続いて、スライダー本体Ｇに対して回動可能に構成された操作体Ｋについて説明する。
【００８０】
＜操作体Ｋ＞
操作体Ｋは、サポート機構Ｒを構成するものである。操作体Ｋは、スライダー本体Ｇを構成するブラケット３に軸支持されている。すなわち、操作体Ｋは、ブラケット３に対して回転可能に支持されている。操作体Ｋは、使用者による操作力を受けてスライダー本体Ｇに対して回動しスプリングベースＨを下方に移動させ得るものである。
【００８１】
操作体Ｋは、ブラケット３に支持される軸ｊｋを介して、スライダー本体Ｇに対して回転可能に支持されている。スライダーＦは、後端部に位置する操作体Ｋの操作端たる操作端部材８を使用者による任意の操作によって上方に回動させることにより、スライダー本体Ｇに支持されたスプリングベースＨを降下させ、スプリングベースＨと刃保持構造体Ｊとの間に配されたスプリングＳを圧縮させ得るように構成されている。換言すれば、スライダーＦは、使用者によって操作端部材８が上方に引き上げられたときにのみ、サポート機構Ｒを作動することができるように構成されている。
【００８２】
操作体Ｋは、回動端である下端部にスプリングベースＨを押圧し得る押圧部７３を有した操作体本体７と、操作体本体７の先端部にねじｖ３により取り付けられ使用者による操作力が付与される操作端を構成する操作端部材８とを備えたものである。
【００８３】
操作体本体７は、前後方向中間部に設けられ左右方向に延びる軸ｊｋを保持し得る軸保持部７１と、軸保持部７１よりも前側に設けられブラケットベース３１の上面に当接することにより操作体Ｋが操作された際の回動範囲を規制し得る回動規制部７２と、回動規制部７２よりも下に設けられ下方に向かって膨出した形状をなし操作体Ｋが操作された際にスプリングベースＨを上から下に向かって押圧し得る押圧部７３と、軸保持部７１よりも前側に設けられねじをｖ３介して操作端部材８が取り付けられる操作端部材取付部７４とを備えている。
【００８４】
操作端部材８は、後方に向かって膨出する形状を有し使用者の操作力を受ける主要部をなす操作端部材本体８１と、操作端部材本体８１の下端部から下方に延設され操作端部材８が上方に向かって操作された際にカバー体４の連通部ｔｈを閉塞し得るカバー部８２とを備えたものである。操作端部材本体８１とカバー部８２との間には、ねじ挿通孔ｈ３が設けられている。そして、ねじ挿通孔ｈ３を通過させたねじｖ３を操作体本体７の操作端部材取付部７４に螺着することにより操作端部材８を操作体本体７に対して取り付け得るようになっている。
【００８５】
＜サポート機構Ｒ＞
サポート機構Ｒは、スライダーＦに設けられたものである。サポート機構Ｒは、積層された複数枚の用紙Ｐを裁断するときに、スライダーＦの前進操作及び後退操作を交互に繰り返すたびに、用紙Ｐの切断可能枚数が減少し難くするため、回転刃６１を付勢し得るスプリングＳの付勢力を直接又は間接的に補充し得るものである。
【００８６】
この実施形態では、サポート機構Ｒは、使用者の指を使った任意の操作により、使用者が必要とする場合にのみ、回転刃６１を付勢するスプリングＳの付勢力を補充し得るように構成されている。
【００８７】
特に、この実施形態では、操作体Ｋの操作端を上方に移動させることにより、スプリングＳの付勢力を補充し得るように構成されている。
【００８８】
すなわち、複数枚積層された用紙Ｐを切断するために行われるスライダーＦの基本操作は、下位置（Ｄ）のレールＢに支持されたスライダーＦの上に手のひら（掌）を置き、当該スライダーＦを前後方向に荷重することにより実行されている。
【００８９】
これに対して、サポート機構Ｒは、使用者の手指によって操作体Ｋの操作端をスライダーＦの基本操作と異なる方向である上方に回動させることにより作動し得るものとなっている。
【００９０】
つまり、サポート機構Ｒを作動する操作は、用紙Ｐを切断するための基本操作とは明確に異なる操作方法により実行し得るものとなっている。このため、この実施形態に示されるスライダーＦは、サポート機構Ｒを作動するための操作を基本操作と混同することなく使用者の任意のタイミングで実行し易いものとなっている。
【００９１】
より具体的に言えば、サポート機構Ｒは、スライダー本体Ｇに対して回動可能に支持された操作体Ｋと、スライダー本体Ｇに対して上下動可能に支持され操作体Ｋに押圧されて下方に移動し得るスプリングベースＨと、スライダー本体Ｇに対して上下動可能に支持され回転刃６１を有するとともにスプリングＳを介してスプリングベースＨの下に配された刃保持構造体Ｊとを主体に構成されたものである。
【００９２】
サポート機構Ｒの作動について、図１８〜２１を参照して説明する。なお、図２０は、図１８に対応する模式図である。図２１は、図１９に対応する模式図である。
【００９３】
まず、使用者が、スライダー本体Ｇに軸支持された操作体Ｋの操作端を上方に移動させる。使用者による操作体Ｋの操作は任意のタイミングで行われる。つまり、使用者が、スライダーＦを一方向操作（前進操作又は後退操作）する際に、比較的多くの用紙Ｐを一挙に切断したい場合に、操作体Ｋの操作が行われる。
【００９４】
操作体Ｋの操作端が上方に回動されると、操作体Ｋの回動端である押圧部７３が、スプリングベースＨの被押圧部ｐａを下方に押圧する。このとき、スプリングベースＨは、押圧部７３により下方に押圧された結果、ホルダー本体２１内をスプリングＳの付勢力に抗して降下することになる。
【００９５】
スプリングベースＨが降下するにつれて、スプリングベースＨの下に配されたスプリングＳは、当該スプリングベースＨと刃保持構造体Ｊとの間において圧縮されていく。
【００９６】
圧縮されたスプリングＳにより下方への付勢力を得た刃保持構造体Ｊの回転刃６１は、積層された用紙Ｐを通常（操作体Ｋによりサポート機構Ｒを作動しない場合）よりも強い付勢力により押圧しつつ裁断することができるものとなる。
【００９７】
続いて、この実施形態における裁断機Ａを用いて積層された複数枚の用紙Ｐを切断する一例を説明する。
【００９８】
まず、裁断すべき複数枚の用紙ＰをベースＡの載置面ｍにおける所定位置に載置する。基本的には、裁断すべき複数枚の用紙Ｐの前縁部又は後縁部を前ベース部ａ２の後端縁又は後ベース部ａ３の前端縁に当接させることにより、用紙Ｐがベース本体ａ１上に位置決めされることになる。
【００９９】
次いで、レールＢを上位置（Ｕ）から下位置（Ｄ）に移動して、当該レールＢをレールロック機構Ｌにより下位置（Ｄ）に固定する。レールＢが上位置（Ｕ）から下位置（Ｄ）に移動することにより、レールＢに支持されたスライダーＦが用紙Ｐを切断し得る所定の高さ位置に移動することになる。
【０１００】
なお、レールＢを上位置（Ｕ）から下位置（Ｄ）に遷移させることにより、ベースＡに支持された紙押さえＣがレールＢに設けた押圧子ｐｓにより下方に押圧され、当該紙押さえＣは、用紙Ｐを上から押さえた状態になる。
【０１０１】
続いて、積層されている複数枚の用紙Ｐを、スライダーＦの一方向操作である前進操作及び後退操作を繰り返すとともに必要時においてサポート機構Ｒを作動して切断する。
【０１０２】
以下、その具体例として、積層した四十枚の用紙Ｐを切断する場合を説明する。（なお、積層した四十枚の用紙Ｐを切断する従来例の説明については、本明細書における従来技術のａ．〜ｄ．を参照。）
ａ．第一回目の用紙切断操作となるスライダーＦの前進操作では、最も圧縮されたスプリングの付勢力を利用して用紙Ｐを切断することにより、十五枚の用紙Ｐを切断することができる。
【０１０３】
ｂ．第二回目の用紙切断操作となるスライダーＦの後退操作では、通常は、第一回目よりも弱いスプリングＳの付勢力により用紙Ｐを切断することになるため、第一回目よりも少ない枚数である十二枚の用紙Ｐしか切断することができない。そこで、第二回目の用紙切断操作となるスライダーＦの後退操作では、使用者による任意の操作体Ｋに対する操作によりサポート機構Ｒを作動して、スプリングＳの付勢力を補充する。これにより、第二回目の用紙切断操作となるスライダーＦの後退操作では、回転刃６１は第一回目と同等のスプリングＳによる付勢力を得ることができ、第一回目と同じ枚数である十五枚の用紙Ｐを切断することができる。
【０１０４】
ｃ．第三回目の用紙切断操作となるスライダーＦの前進操作では、通常は、第一回目及び第二回目よりも弱いスプリングＳの付勢力により用紙Ｐを切断することになるため、第二回目よりも少ない枚数である八枚の用紙Ｐしか切断することができない。そこで、第三回目の用紙切断操作となるスライダーＦの前進操作では、使用者による任意の操作体Ｋに対する操作によりサポート機構Ｒを作動して、スプリングＳの付勢力を補充する。これにより、第三回目の用紙切断操作となるスライダーＦの前進操作では、回転刃６１は第一回目と同等のスプリングＳによる付勢力を得ることができ、残りの枚数である十枚の用紙Ｐを切断することができる。
【０１０５】
以上ａ．〜ｃ．に述べた実施例によれば、積層した四十枚の用紙Ｐをすべて切断し終えるには、スライダーＦの前進操作を二回、且つ、スライダーＦの後退操作を一回（すなわち１．５往復）実行すればよいことになる。つまり、従来例と比較してみれば明らかなように、この実施形態に示される裁断機であれば、積層された複数枚の用紙Ｐを切断し終えるためのスライダーＦの進退操作の回数を減少させることができるものとなっている。
【０１０６】
なお、上記した具体例はあくまでも説明の便宜として操作の一例を示したものであることは言うまでもない。例えば、第一回目の用紙切断操作においてサポート機構Ｒを作動させてもよい。また、切断すべき用紙Ｐの枚数が少ない場合には、サポート機構Ｒを作動させないことがあってもよいのはもちろんのことである。
【０１０７】
以上説明したように、本実施形態に係る裁断機は、切断対象であるシート体たる用紙Ｐが配設されるベースＡと、ベースＡに対して近接した下位置（Ｄ）とこの下位置（Ｄ）よりも離れた上位置（Ｕ）との間で移動可能に支持されたレールＢと、このレールＢに対してスライド移動可能に支持され用紙Ｐを裁断し得る切断刃たる回転刃６１を設けたスライダーＦとを備えてなるものである。そして、スライダーＦが、レールＢに対して装着されたスライダー本体Ｇと、スライダー本体ＧにスプリングＳを介して配設された切断刃を有する刃保持構造体Ｊを備えたものであり、刃保持構造体Ｊを下方に付勢するスプリングＳと、スプリングＳの付勢力を間接的に補充するサポート機構Ｒを設けたものとなっている。このため、スライダーＦの前進操作及び後退操作を繰り返すごとに、用紙Ｐの切断可能枚数が減少してしまうという不具合を好適に抑制し得る裁断機を提供し得るものとなる。
【０１０８】
スライダーＦが、スライダー本体Ｇに対して上下動可能に支持されたスプリングベースＨと、スライダー本体Ｇに対して上下動可能に支持されスプリングベースＨの下にスプリングＳを介して配設された刃保持構造体Ｊとを備えたものである。このため、スプリングベースＨを降下させることによりスプリングＳを圧縮し得るものとなるため、サポート機構Ｒを構成する設計の自由度に優れたものとなっている。
【０１０９】
サポート機構Ｒが、スライダー本体Ｇに対して相対移動可能に支持されスプリングＳをスプリングベースＨを介して間接的に圧縮させ得る操作体Ｋを備えたものである。このため、サポート機構Ｒを操作体Ｋに対する操作により好適に作動させ得るものとなっている。
【０１１０】
サポート機構Ｒが、スライダー本体Ｇに対して回転可能に支持された操作体Ｋを備えたものであり、操作体Ｋの操作端を上方に回動させることにより、スプリングＳを圧縮させ得るように構成されたものとなっている。このため、用紙Ｐを裁断するためのスライダーＦに対する基本操作の方向とは異なる方向に操作端を操作してサポート機構Ｒを作動することができるものとなっている。つまり、このような構成のものであれば、使用者による任意の操作によりサポート機構Ｒを作動させ得る好適な構成を採り得るものとなっている。
【０１１１】
スライダー本体Ｇが、レールＢを包持するレール保持部１１を有した基体１と、少なくともスプリングＳ、及び、刃保持構造体Ｊを保持し得るとともに基体１に対して着脱可能に構成されたホルダー２とを備えたものである。このため、回転刃６１を交換し得るメンテナンス性に優れた好適な構成を有したスライダーＦを提供し得るものとなっている。
【０１１２】
スライダーＦが、スライダー本体Ｇに対して上下動可能に支持されたスプリングベースＨと、スライダー本体Ｇに対して上下動可能に支持されスプリングベースＨの下にスプリングＳを介して配設された刃保持構造体Ｊとを備えたものであり、ホルダー２が、スプリングベースＨ、スプリングＳ、及び、刃保持構造体Ｊを保持し得るものである。このため、回転刃６１を交換し得るメンテナンス性に優れた好適な構成を有したスライダーＦを提供し得るものとなっている。
【０１１３】
ホルダー２が、スプリングベースＨの上限位置を規制し得る上規制壁２２１と、刃保持構造体Ｊの下限位置を規制し得る下規制壁２２２を備えたものである。このため、サポート機構Ｒを構成するスプリングベースＨ及び刃保持構造体Ｊが適切な位置に位置決めされたものとなっている。
【０１１４】
サポート機構Ｒが、スライダー本体Ｇに対して相対移動可能に支持されスプリングベースＨを下方に移動させ得る操作体Ｋを備えたものであり、スプリングベースＨの上部に、操作体Ｋにより下方に向けて押圧され得る被押圧部ｐａを備えているものであり、被押圧部ｐａが、対をなして配された上規制壁２２１の間に配設されている。このため、操作体ＫがスプリングベースＨに設けた被押圧部ｐａを好適に下方に向けて押圧し得るものとなっている。
【０１１５】
レールＢが、下位置（Ｄ）において、ベースＡに対して固定され得るものである。このため、スライダーＦがベースＡに対して適切な位置に位置し得るものとなり、サポート機構Ｒを用いた用紙Ｐの切断を好適に実現できるものとなっている。
【０１１６】
切断刃が、先端に刃先６１２を有した回転刃６１である。このため、回転刃６１が裁断すべき用紙Ｐの上を転動し得るものとなるためスライダーＦの前進操作及び後退操作を滑らかに実行できるものとなっている。
【０１１７】
なお、本発明は、以上に詳述した実施形態に限られるものではない。
【０１１８】
サポート機構は、種々の形態を採り得るものであり、上述した実施形態に示されたものに限られるものではない。
【０１１９】
上述した実施形態では、操作体に対する操作が、用紙を切断するための基本操作とは異なる操作方法により行われるものであったが、その態様は上述した実施形態に示すものに限られない。例えば、操作体の操作端を左右方向に回転し得るように構成したものであってもよいし、押しボタンを押すことにより、スプリングベースを降下させ得るように構成したものであってもよい。
【０１２０】
他の実施形態であるスライダーＦについて、図２２及び図２３を参照して説明する。なお、同図において、上述した実施形態と同一又は相当する構成については同一の符号を用いるものとし、説明を省略する。
【０１２１】
図２２に示すスライダーＦは、裁断機において適用されるものである。スライダーＦは、スライダー本体Ｇを構成する基体１に対して前後動可能に支持された操作ハンドルＫ’を備えている。操作ハンドルＫ’は、前位置（Ｆ）と後位置（Ｒ）との間を前後動し得るように構成されている。操作ハンドルＫ’とスプリングベースＨとの間には、操作ハンドルＫ’とは別体をなす押圧部材Ｚが配設されている。そして、操作ハンドルＫ’が前位置（Ｆ）から後位置（Ｒ）に移動すると、押圧部材Ｚが操作ハンドルＫ’の傾斜面ｓｌに案内されて下方に移動し、スプリングベースＨを下方に押圧し得るようになっている。図２２に示すスライダーＦは、前進操作に連動して操作ハンドルＫ’が基体１に対して前動し、後退操作に連動して操作ハンドルＫ’が後動するものとなっている。このため、同図に示すスライダーＦは、後退操作時にサポート機構Ｒが自動的に作動し得るものとなっている。このようなものであっても、所期の目的を達成し得るものとなっている。
【０１２２】
図２３に示すスライダーＦは、スライダー本体Ｇを構成する基体１に対して前後動可能に支持された操作ハンドルＫ’を備えている。操作ハンドルＫ’は、前位置（Ｆ）と後位置（Ｒ）との間を前後動し得るように構成されている。操作ハンドルＫ’とスプリングベースＨとの間には、押圧部材Ｘが配設されている。図２３に示す押圧部材Ｘは、前端部ｘ１がスライダー本体Ｇに対して回転可能に支持されており、後端部ｘ２が操作ハンドルＫ’の案内傾斜面ｓｌにより案内され得る位置に配されている。そして、操作ハンドルＫ’が前位置（Ｆ）から後位置（Ｒ）に移動すると、押圧部材Ｘの後端部ｘ２が操作ハンドルＫ’の案内傾斜面ｓｌに案内されて下方に移動し、下方に突出した形態をなす押圧部材Ｘの下端部ｘ３によりスプリングベースＨを下方に押圧し得るようになっている。図２３に示すスライダーＦは、前進操作に連動して操作ハンドルＫ’が基体１に対して前動し、後退操作に連動して操作ハンドルＫ’が後動するものとなっている。このため、同図に示すスライダーＦは、後退操作時にサポート機構Ｒが自動的に作動し得るものとなっている。このようなものであっても、所期の目的を達成し得るものとなっている。
【０１２３】
裁断機による裁断対象は用紙に限られるものではなく種々のシート体であってもよいのはもちろんのことである。
【０１２４】
レールは、下位置において完全に固定されたものでなくてもよく、下位置において微動し得るものであってもよい。なお、レールは、下位置において下方に移動できないように設定されているものが望ましい。
【０１２５】
切断刃は、回転刃に限られるものではなく。スライダーのスライド移動に伴ってシート体を切断し得るものであればどのようなものであってもよい。
【０１２６】
スプリングは、コイルスプリングに限られるものではなく、板バネや樹脂の弾性体その他種々のスプリングを適用し得るものである。
【０１２７】
刃保持構造体は、シート体を切断し得る切断刃を有したものであればどのような形態のものであっても構わない。刃保持構造体は、刃ユニットを交換可能に構成していないものであってもよい。
【０１２８】
サポート機構は、切断刃のシート体に対する押圧力を補充し得るものであればどのような構成のものであってもよい。
【０１２９】
サポート機構は、スプリングの付勢力を直接的に補充し得るものであってもよい。例えば、操作体の操作により作動し得る作動端をスプリングの一端部に位置させることにより、操作体を操作してスプリングを直接的に圧縮させ得るように構成してもよい。
【０１３０】
サポート機構は、スプリングとは別に設けられ、切断刃又は切断刃を有した刃保持構造体を直接的に付勢して切断刃のシート体に対する押圧力を増加させ得るものであってもよい。例えば、操作体の操作により作動し得る作動端を切断刃たる回転刃の回転軸に直接的に接続することにより、操作体を操作して回転刃のシート体に対する押圧力を増加させ得るように構成してもよい。
【０１３１】
その他、各部の具体的構成についても上記実施形態に限られるものではなく、本発明の趣旨を逸脱しない範囲で種々変形が可能である。
【符号の説明】
【０１３２】
Ａ…ベース
Ｂ…レール
Ｆ…スライダー
Ｇ…スライダー本体
Ｈ…スプリングベース
Ｊ…刃保持構造体
Ｐ…用紙
Ｓ…スプリング
６１…回転刃
【図１】
2020157381.tif 000003
【図２】
2020157381.tif 000004
【図３】
2020157381.tif 000005
【図４】
2020157381.tif 000006
【図５】
2020157381.tif 000007
【図６】
2020157381.tif 000008
【図７】
2020157381.tif 000009
【図８】
2020157381.tif 000010
【図９】
2020157381.tif 000011
【図１０】
2020157381.tif 000012
【図１１】
2020157381.tif 000013
【図１２】
2020157381.tif 000014
【図１３】
2020157381.tif 000015
【図１４】
2020157381.tif 000016
【図１５】
2020157381.tif 000017
【図１６】
2020157381.tif 000018
【図１７】
2020157381.tif 000019
【図１８】
2020157381.tif 000020
【図１９】
2020157381.tif 000021
【図２０】
2020157381.tif 000022
【図２１】
2020157381.tif 000023
【図２２】
2020157381.tif 000024
【図２３】
2020157381.tif 000025